(57)【特許請求の範囲】
【請求項１】
排水口の上側に上面開口状の凹状部が設けられている洗い場フロアと、
前記凹状部に嵌入して設置される排水口用の蓋と、
を備えている、洗い場フロア構造であって、
前記蓋の側壁部には、水平方向および上下高さ方向に幅を有する下部開口状の切り欠き凹部が設けられ、かつこの切り欠き凹部の幅方向両端部の内壁面は、水平方向に間隔を隔てて位置し、かつ上方に進むほど互いに接近するように傾斜する一対の下向き傾斜面とされており、
前記凹状部の内側には、前記凹状部の内方に向けて突出し、かつ水平方向において互いに離間する一対の突起部が設けられ、かつこれら一対の突起部には、上方に進むほど互いに接近するように傾斜する一対の上向き傾斜面が形成されており、
前記蓋が前記凹状部に嵌入された際には、前記一対の下向き傾斜面が前記一対の上向き傾斜面上に載るようにして、前記蓋の前記切欠き凹部に前記一対の突起部がともに嵌入し、前記蓋を前記一対の突起部によって支持することが可能な構成とされていることを特徴とする、洗い場フロア構造。
【請求項２】
請求項１に記載の洗い場フロア構造であって、
前記蓋は、前記一対の下向き傾斜面が前記一対の上向き傾斜面上に載る向きとは異なる向きに設定された状態で前記凹状部に嵌入される際には、前記蓋と前記突起部とが干渉し、前記蓋の略全体を前記凹状部に嵌入させることができない構成とされている、洗い場フロア構造。
【発明の詳細な説明】
【技術分野】
【０００１】
本発明は、浴室の洗い場フロア構造に関し、より詳しくは、浴室の洗い場フロアの排水口用の蓋の取り付け状態を良好にするための構造に関する。
【背景技術】
【０００２】
浴室の洗い場フロアには、洗い場フロア上に流れ落ちた使用済み湯水などを浴室外部に排水するための排水口が設けられている。一般的には、この排水口の上側に凹状部を形成し、かつこの凹状部に排水口用の蓋を嵌入して設置させることにより、排水口が不体裁な状態で開口したままにならないようにしている。
このような排水口の蓋の取り付け構造においては、蓋に大きなガタツキがないようにすることが望まれる。たとえば、蓋に水平方向の大きなガタツキがあると、入浴者が蓋を踏んだ際に蓋が水平方向に位置ずれし、入浴者が足を滑らせる虞がある。
そこで、従来においては、たとえば特許文献１，２に記載された手段のように、蓋の周壁部に突起部を設け、かつこの突起部を排水口上側の凹状部の内壁に当接させることによって、蓋のガタツキを抑制する手段がある。
【０００３】
しかしながら、前記従来の手段においては、突起部と凹状部の内壁との間には、幾らかの隙間がある。このため、蓋のガタツキを十分に無くすことは難しい。前記の隙間を実質的にゼロとするように製作すれば、ガタツキを無くすことは可能であるものの、そのように寸法精度を高めることは難しく、また寸法管理を厳しくしなければならない必要から、生産性が悪くなり、製造コストが高くなる不利がある。さらに、前記の隙間を実質的にゼロにした場合には、蓋を凹状部に出し入れする際の突起部と凹状部の内壁との摩擦抵抗が大きくなるため、蓋の着脱作業性が悪いものとなる。
【先行技術文献】
【特許文献】
【０００４】
【特許文献１】特許第３８８１９７９号公報
【特許文献２】特開２００６−２９１５６４号公報
【発明の概要】
【発明が解決しようとする課題】
【０００５】
本発明は、前記したような事情のもとで考え出されたものであり、排水口用の蓋の着脱作業性を悪化させるなどの不具合を回避しつつ、前記蓋のガタツキを適切に防止または抑制することが可能な洗い場フロア構造を提供することを、その課題としている。
【課題を解決するための手段】
【０００６】
上記の課題を解決するため、本発明では、次の技術的手段を講じている。
【０００７】
本発明により提供される洗い場フロア構造は、排水口の上側に上面開口状の凹状部が設けられている洗い場フロアと、前記凹状部に嵌入して設置される排水口用の蓋と、を備えている、洗い場フロア構造であって、前記蓋の側壁部には、水平方向および上下高さ方向に幅を有する下部開口状の切り欠き凹部が設けられ、かつこの切り欠き凹部の幅方向両端部の内壁面は、水平方向に間隔を隔てて位置し、かつ上方に進むほど互いに接近するように傾斜する一対の下向き傾斜面とされており、前記凹状部の内側には、前記凹状部の内方に向けて突出し、かつ水平方向において互いに離間する一対の突起部が設けられ、かつこれら一対の突起部には、上方に進むほど互いに接近するように傾斜する一対の上向き傾斜面が形成されており、前記蓋が前記凹状部に嵌入された際には、前記一対の下向き傾斜面が前記一対の上向き傾斜面上に載るようにして、前記蓋の前記切欠き凹部に前記一対の突起部がともに嵌入し、前記蓋を前記一対の突起部によって支持することが可能な構成とされていることを特徴としている。
【０００８】
このような構成によれば、次のような効果が得られる。
第１に、蓋に形成された一対の下向き傾斜面が、洗い場フロアの凹状部側に形成された一対の上向き傾斜面上に載せられた状態においては、前記一対の下向き傾斜面に対して前記一対の上向き傾斜面が楔作用、または楔作用に類する位置決め作用を発揮することとなり、蓋が前記下向き傾斜面や上向き傾斜面が離間する水平方向に位置ずれすることは適切に阻止される。このため、蓋のガタツキを防止または抑制し、入浴者が蓋を踏んだ際に、この蓋が不用意に位置ずれして足を滑らせるといった事態を防ぐのに好適なものとなる。
第２に、前記したような蓋のガタツキ防止を図るには、一対の下向き傾斜面と上向き傾斜面とが互いに対向接触するように形成されていればよく、これらの傾斜面の形成に際し、傾斜面の長さなどについてはさほど高い寸法精度は要求されない。むろん、蓋と凹状部との嵌合精度もさほど高める必要はない。したがって、製造が容易であり、製造コストを廉価にすることが可能である。
第３に、蓋を凹状部に出し入れする際に、一対の下向き傾斜面と上向き傾斜面との相互間で、前記出し入れを困難とするような大きな摩擦抵抗が生じるようなこともない。したがって、凹状部への蓋の出し入れ操作（着脱操作）は容易であり、取り扱い性にも優れたものとなる。
【００１０】
さらに、前記構成によれば、一対の下向き傾斜面が、蓋の側壁部に切り欠き凹部を設けることによって形成されているために、蓋のサイズ、重量、および部品点数などが増大または増加することを回避する上で、好ましいものとなる。
【００１２】
さらに、前記構成によれば、凹状部に設けられる突起部の小サイズ化を図りつつ、一対の上向き傾斜面を適切に形成することができる。
【００１３】
本発明において、好ましくは、前記蓋は、前記一対の下向き傾斜面が前記一対の上向き傾斜面上に載る向きとは異なる向きに設定された状態で前記凹状部に嵌入される際には、前記蓋と前記突起部とが干渉し、前記蓋の略全体を前記凹状部に嵌入させることができない構成とされている。
【００１４】
このような構成によれば、蓋を凹状部に嵌入させる際に、蓋の向きが正しい向きに設定されていない場合には、蓋の略全体を凹状部に適切に嵌入させることができないため、このことにより入浴者などは、蓋の向きが正しい向きではない旨を適切に察知することができる。このことにより、入浴者などは蓋の向きを正しい向きに設定し直すことが期待できることとなり、蓋が誤った向き（一対の下向き傾斜面が上向き傾斜面上に載らない位置関係の向き）で凹状部に嵌入されたままにされないようにする効果が得られる。前記構成においては、一対の上向き傾斜面が形成された突起部を、蓋の向きを正しい向きに設定するための手段として用いられており、その構成は合理的である。
【００１５】
本発明のその他の特徴および利点は、添付図面を参照して以下に行なう発明の実施の形態の説明から、より明らかになるであろう。
【図面の簡単な説明】
【００１６】
【図１】本発明に係る洗い場フロア構造の一例を示す斜視図である。
【図２】図１の構造において、蓋を凹状部に嵌入設置した状態の要部断面である。
【図３】（ａ）は、図２のIIIa−IIIa断面図であり、（ｂ）は、（ａ）の分解断面図である。
【図４】図１に示す構造の要部平面図である。
【図５】図１に示す構造で用いられている蓋の前方側からの斜視図である。
【図６】（ａ）は、蓋を不適切な向きに設定した場合の一例を示す要部平面図であり、（ｂ）は、その際の蓋の設置状態を示す要部断面図である。
【図７】本発明の他の例を示す要部平面図である。
【図８】（ａ）は、図７に示す構造において、蓋を不適切な向きに設定した場合の例を示す要部平面図であり、（ｂ）は、その際の蓋の設置状態を示す要部断面図である。
【図９】本発明の他の例を示す要部平面図である。
【図１０】本発明の他の例を示す要部平面図である。
【発明を実施するための形態】
【００１７】
以下、本発明の好ましい実施の形態について、図面を参照して具体的に説明する。
【００１８】
図１に示す洗い場フロア構造Ｃは、ユニットバスなどの浴室の構成要素として用いられる洗い場防水パンＰと、排水口用の蓋２とを備えている。洗い場防水パンＰは、全体が樹脂製であり、洗い場フロア１を形成している。洗い場防水パンＰは、浴槽一体型として構成することが可能であるが、本実施形態では、浴槽とは別体型とされている。洗い場防水パンＰの横（図１の一側縁部９０の向こう側）に浴槽が設置される。
【００１９】
洗い場フロア１のうち、洗い場防水パンＰの一側縁部９０寄りの位置には、平面視略矩形の凹状部４、およびこの凹状部４の下方奥部に位置するたとえば平面視略円形の排水口３が設けられている。排水口３の下側には、排水トラップを介して排水パイプ（図示略）が接続される。凹状部４は、排水口用の蓋２を嵌入設置させるための部分であり、底壁部４０、およびこの底壁部４０から起立した複数の内側起立壁部４１により形成されている。後述するように、複数の内側起立壁部４１のうち、第１の内側起立壁部４１（４１ａ）には、後述する一対の上向き傾斜面４２ａが形成された一対の突起部４２が設けられている。
【００２０】
凹状部４の第２の内側起立壁部４１ｂ（洗い場防水パンＰの一側縁部９０側）には、互いに接近するように部分的に膨出する一対の内向き凸状部４４が設けられている。図４に示すように、それら一対の内向き凸状部４４の内幅Ｌ１は、凹状部４の他の部分の内幅Ｌ２よりも狭くされている。これは、後述するように、蓋２が本来の向きとは異なる向きに設置されることを防止するのに役立つ。
【００２１】
図１において、蓋２は、平面視略矩形の平板状の蓋本体部２０と、この蓋本体部２０の外周縁から下向きに突出する複数の側壁部２１とを有している。複数の側壁部２１のうち、第１の側壁部２１（２１ａ）には、後述する一対の下向き傾斜面２２が形成されている。図４および図５によく表われているように、第２の側壁部２１（２１ｂ）には、蓋２を凹状部４から取り出す際に指を蓋２の裏側に差し込むのに利用される窪み部２３、および左右一対の凸部２４が設けられている。一対の凸部２４の外幅Ｌ３は、一対の内向き凸状部４４の内幅Ｌ１よりも小さくされている。このことにより、一対の凸部２４の形成箇所
を、一対の内向き凸状部４４の内側に配置させるようにして、蓋２の全体を凹状部４に嵌入させることが可能となっている（図２も参照）。
【００２２】
図１および図３において、蓋２の第１の側壁部２１ａには、蓋２の横幅方向ｘ（水平方向）に適当な幅を有する下部開口状の切り欠き凹部２５が形成されており、この切り欠き凹部２５の幅方向両端部の内壁面は、一対の下向き傾斜面２２とされている。これら一対の下向き傾斜面２２は、上方に進むほど互いに接近するように適当な角度αで傾斜した傾斜面である。なお、蓋２の他の側壁部２１にも切り欠き凹部２６が設けられているが、この切り欠き凹部２６は、下向き傾斜面２２を形成するためのものではなく、蓋２の軽量化や、凹状部４に流れ込んできた湯水を排水口３に導くための通路として役立たせる部分である。
【００２３】
一方、凹状部４の第１の内側起立壁部４１ａには、一対の突起部４２が設けられ、かつこれら一対の突起部４２に一対の上向き傾斜面４２ａが形成されている。図３によく表われているように、一対の突起部４２は、横幅方向ｘ（水平方向）に離間しており、かつたとえば正面視略三角形状に形成されている。これら一対の突起部４２の外側の傾斜面は、上方に進むほど互いに接近するように傾斜する上向き傾斜面４２ａであり、既述した下向き傾斜面２２の傾斜角αと同一の傾斜角である。図３（ａ）に示すように、一対の下向き傾斜面２２および上向き傾斜面４２ａは、一対の下向き傾斜面２２が一対の上向き傾斜面４２ａ上に面接触状態で載り、このことにより蓋２の第１の側壁部２１ａ側は、突起部４２によって支持されるように構成されている。図２に示すように、蓋２の第２の側壁部２１ｂ側は、凹状部４の底壁部４０上に載り、底壁部４０によって支持される。なお、図面では示されていないが、蓋２の各側壁部２１の下面部分には、蓋２の位置ずれ防止効果を高めるための手段、あるいは蓋２を底壁部４０上に載せた際の衝撃を和らげるための手段として、ゴム材などを設けた構成とすることができる。
【００２４】
次に、前記した洗い場フロア構造Ｃの作用について説明する。
【００２５】
まず、蓋２を凹状部４に嵌入設置した状態においては、図２および図３（ａ）に示すように、蓋２の一対の下向き傾斜面２２が、凹状部４の内側に設けられた一対の上向き傾斜面４２ａ上に載せられた構成が構築される。このような構成によれば、単に傾斜面どうしが当接することによって横幅方向ｘにおける蓋２の移動が規制されるだけではなく、蓋２の重量がこれらの部分に作用することにより、上向き傾斜面４２ａと下向き傾斜面２２とが互いに圧接する作用（楔作用またはこれに類する作用）が得られることとなる。このため、蓋２が横幅方向ｘに位置ずれすることは略完全に防止される。このような位置ずれ防止が図られると、蓋２の全体のがたつきが抑制される結果、入浴者が蓋２を踏んだ際に、この蓋２が不用意に位置ずれして足を滑らせるといった事態を好適に防ぐことが可能となる。
【００２６】
前記したような蓋２のガタツキ防止を図るには、一対の下向き傾斜面２２と上向き傾斜面４２ａとが互いに対向接触するように全体が構成されていればよい。それらの傾斜面２２，４２ａの形成に際し、これらの寸法長などについてはさほど高い寸法精度は要求されない。蓋２と凹状部４との間には適当な遊び（隙間）を設けておくことが可能であり、それらの嵌合寸法精度をさほど高くする必要もない。したがって、蓋２や洗い場フロア１の製造が容易となり、それらの製造コストを廉価にすることが可能である。
【００２７】
蓋２を凹状部４に嵌入させた際には、一対の下向き傾斜面２２がそのまま一対の上向き傾斜面４２ａに載るようになっており、特殊な操作は不要である。蓋２を凹状部４から取り出す際も同様である。傾斜面２２，４２ａの相互間において、凹状部４への蓋２の出し入れが困難となるような大きな摩擦抵抗が生じることもない。このため、凹状部４への蓋
２の出し入れ操作（着脱操作）も容易であり、取り扱い性にも優れたものとなる。
【００２８】
一対の下向き傾斜面２２は、蓋２の第１の側壁部２１ａに切り欠き凹部２５を設けることによって形成されている。このため、下向き傾斜面２２の形成は容易である。蓋２のサイズ増大、重量増大、および部品点数の増加などを生じないようにすることが可能である。また、切り欠き凹部２５を排水用の湯水通過部として機能させ、凹状部４に流れ込んだ湯水の排水促進を図ることも可能である。一対の上向き傾斜面４２ａを形成した一対の突起部４２は、凹状部４の第１の内側起立壁部４１ａに突設されたものであるため、やはりその成形などは容易である。各突起部４２のサイズを小さくすることもできる。
【００２９】
図６は、蓋２の向きが前後逆向きの誤った向きとされた例を示している。蓋２の第１の側縁部２１ａ側の幅Ｌ４は、一対の内向き凸状部４４の内幅Ｌ１よりも大きいために、この例の場合には、同図（ｂ）に示すように、蓋２の第２の側縁部２１ｂ側が凹状部４からはみ出す。このことにより、入浴者などは蓋２の向きが誤っている旨を的確に察知することができ、蓋２を正しい向き（一対の下向き傾斜面２２と上向き傾斜面４２ａとが対向接触する向き）に設定することが期待できる。
【００３０】
図７〜図１０は、本発明の他の実施形態を示している。これらの図において、前記実施形態と同一または類似の要素には、前記実施形態と同一の符号を付すこととし、重複説明は省略する。
【００３１】
図７に示す実施形態においては、洗い場フロア１に設けられた凹状部４が、蓋２と同様な平面視略矩形状に形成されており、前記実施形態における内向き凸状部４４は設けられていない。
本実施形態においては、蓋２を図７に示す向きに設定した場合には、蓋２の一対の下向き傾斜面２２を、凹状部４の一対の上向き傾斜面４２ａ上に載せるようにして、蓋２の全体を凹状部４に嵌入させることが可能である。これに対し、図８に示すように、蓋２を前記とは逆向きにした場合には、蓋２の側縁部２１ｂが一対の突起部４２に干渉することとなる。このため、蓋２の略全体を凹状部４に適切に嵌入させることはできない。その結果、入浴者などは蓋２が逆向きであることを的確に察知することができ、蓋２の向きを正しい向きに設定することとなる。
本実施形態によれば、蓋２を誤った向きに設定することが、やはり適切に防止される。上向き傾斜面４２ａを形成するための突起部４２が、蓋２を誤った向きに取り付けことを防止するための部位として利用されているため、その構成は合理的である。
【００３２】
図９に示す実施形態においては、凹状部４の第１および第３の内側起立壁部４１ａ，４１ｃのそれぞれに、一対の上向き傾斜面４２ａが形成された突起部４２が設けられている。これに対応し、蓋２の第１および第３の側縁部２１ａ，２１ｃのそれぞれには、一対の下向き傾斜面２２を形成する切り欠き凹部２５が設けられている。
このような構成によれば、横幅方向ｘのみならず、これと直交する縦幅方向ｙについても、蓋２の的確な位置決めを図ることができる。したがって、蓋２のがたつきをより徹底して防止することができる。
なお、図示説明は省略するが、図９において、蓋２のｙ方向のみの位置決め固定を図るべく、凹状部４の第１の内側起立壁部４１ａ、および蓋２の第１の側壁部２１ａに、上向き傾斜面４２ａおよび下向き傾斜面２２を設けない構成とし、かつ凹状部４の第３の内側起立壁部４１ｃ、および蓋２の第３の側壁部２１ｃのみに、上向き傾斜面４２ａおよび下向き傾斜面２２を設けた構成とすることもできる。本発明においては、一対の上向き傾斜面４２ａおよび下向き傾斜面２２が、少なくとも一組設けられていればよい。
【００３３】
図１０に示す実施形態においては、蓋２のｘ方向の位置決め固定を図るべく、凹状部４
に設けられた上向き傾斜面４２ａを有する一対の突起部４２のうち、一方は、第１の内側起立壁部４１ａに設けられ、かつ他方は、第２の内側起立壁部４１ｂに設けられている。蓋２についても、これに対応して、第１および第２の側壁部２１ａ，２１ｂに、切り欠き凹部２５が設けられ、かつ下向き傾斜面２２が形成されている。
このような構成であっても、蓋２のｘ方向の位置決め固定を適切に図ることが可能である。本実施形態から理解されるように、一対の上向き傾斜面４２ａが形成された一対の突起部４２や、蓋２の下向き傾斜面２２は、必ずしも１つの共通の内側起立壁部４１または側壁部２１に形成されていなくてもよい。
【００３７】
本発明は、上述した実施形態の内容に限定されない。本発明に係る洗い場フロア構造の各部の具体的な構成は、本発明の意図する範囲内において種々に設計変更自在である。
【００３８】
排水口用の蓋や、洗い場フロアの凹状部の具体的な形状は、平面視略矩形状に限定されず、たとえば円形や台形状などの他の形状にすることが可能である。蓋に、通水用の孔を貫通して設けるようなことも可能である。蓋の材質も限定されず、蓋全体を樹脂製にすることに代えて、たとえばステンレス製などの金属板と、この金属板を支持する樹脂とを組み合わせたような構成とすることもできる。
洗い場フロアは、必ずしも全体が樹脂成形された防水パンを利用して構成されていなくてもよい。また、本発明でいう洗い場フロアは、浴槽が設置された浴室のみならず、浴槽が設置されていないシャワールームのフロアも含む概念である。
【符号の説明】
【００３９】
Ｃ  洗い場フロア構造
１  洗い場フロア
２  蓋（排水口用の蓋）
２１  側壁部
２２  下向き傾斜面
２５  切り欠き凹部
３  排水口
４  凹状部
４０  底壁部（凹状部の）
４１  内側起立壁部（凹状部の）
４２  突起部
４２ａ  上向き傾斜面
【図１】
0006504518.tif 000002
【図２】
0006504518.tif 000003
【図３】
0006504518.tif 000004
【図４】
0006504518.tif 000005
【図５】
0006504518.tif 000006
【図６】
0006504518.tif 000007
【図７】
0006504518.tif 000008
【図８】
0006504518.tif 000009
【図９】
0006504518.tif 000010
【図１０】
0006504518.tif 000011